(57)【要約】【課題】組み付けが容易で安全性の高いワイヤ接続具を提供する。【解決手段】ワイヤ接続具である金具１００は、ワイヤ９を嵌め込んで固定するための固定溝Ｍを有する第一本体１と、ワイヤ９を固定溝Ｍに向けて押圧するためのギア４と、ギア４を固定溝Ｍに向けて押圧する第二本体２と、第一本体１と第二本体２とを締結するボルト５と、を備え、第二本体２に、ギア４を収容し、固定溝Ｍの深さ方向視で固定溝Ｍと重複し、固定溝Ｍから離間する方向に凹む凹部２４が形成されており、凹部２４の深さが、固定溝Ｍの延在方向に沿って一方から他方に向けて深くなっている。【選択図】図１
2020165496.tif 000002
【特許請求の範囲】
【請求項１】
ワイヤを嵌め込んで固定するための固定溝を有する第一本体部と、
前記ワイヤを前記固定溝に向けて押圧するための押圧要素と、
前記押圧要素を前記固定溝に向けて押圧する第二本体部と、
前記第一本体部と前記第二本体部とを締結する締結部材と、を備え、
前記第二本体部に、前記押圧要素を収容し、前記固定溝の深さ方向視で前記固定溝と重複し、前記固定溝から離間する方向に凹む凹部が形成されており、
前記凹部の深さが、前記固定溝の延在方向に沿って一方から他方に向けて深くなっているワイヤ接続具。
【請求項２】
前記押圧要素は、断面が円形状の円形部を含み、当該円形部の軸心方向が前記延在方向と交差する状態で前記凹部に収容されており、
前記円形部の外周面には凹凸が形成されている請求項１に記載のワイヤ接続具。
【請求項３】
前記深さ方向視における、前記凹部と重複する前記固定溝の部分の溝深さは、前記ワイヤの直径よりも浅い請求項１又は２に記載のワイヤ接続具。
【請求項４】
前記第二本体部は、前記延在方向に沿い設けられ、前記固定溝と前記深さ方向視で重複する覆設部を有し、
前記覆設部に、前記凹部と、前記凹部の前記一方に近い側の端部に形成されたガイド部とが形成されており、
前記ガイド部は、前記固定溝から離間する方向に傾斜する傾斜面である請求項１から３のいずれか一項に記載のワイヤ接続具。
【請求項５】
前記第一本体部と前記第二本体部とを互いに近接させるように付勢する第一弾性部材を更に備える請求項１から４のいずれか一項に記載のワイヤ接続具。
【請求項６】
弾性変形した状態で前記押圧要素を前記他方から前記一方に向けて付勢する第二弾性部材を更に備える請求項１から５のいずれか一項に記載のワイヤ接続具。
【請求項７】
前記固定溝における前記凹部の前記一方に近い側の端部の溝幅が、前記固定溝の他端の溝幅に対して拡大している請求項１から６のいずれか一項に記載のワイヤ接続具。
【請求項８】
前記固定溝として、第一固定溝と、前記第一固定溝に沿う第二固定溝とを含み、
前記凹部として、前記深さ方向視で前記第一固定溝と重複する第一凹部と、前記深さ方向視で前記第二固定溝と重複する第二凹部と、を含み、
前記第一凹部の深さが深くなる向きと、前記第二凹部の深さが深くなる向きとが、互いに逆向きとなっている請求項１から７のいずれか一項に記載のワイヤ接続具。
【発明の詳細な説明】
【技術分野】
【０００１】
本発明は、ワイヤ接続具に関する。
【背景技術】
【０００２】
天井（天井裏）では、例えばケーブルラック、配管、ダクト、天井、エアコン、照明器具等の設置物（以下、単に設置物と記載する）が、天井スラブ等の構造体に対して、種々の取付具により吊下げて設置されている。これら設置物の吊下げや、当該吊下げを補強するため、ワイヤが用いられることがある。このワイヤの連結のために、ワイヤ接続具が用いられることがある。
【０００３】
特許文献１には、ワイヤ接続具の一例である留め具とワイヤとを備えた落下防止装置が記載されている。この落下防止装置の留め具は、平板部を有するベース部材と押さえ部材と、平板部に対してワイヤの位置を規制する案内部と、ベース部材と押え部材とに互いに引き合う向きの力が加えつつ一体化する雄ねじとを備えている。ワイヤは、平板部と押え部材の間に挟み込まれることで留め具と一体化される。ワイヤを留め具に一体化する場合、ワイヤを平板部上において位置を規制した後、平板部の上に押え部材を重ね合わせ、雄ねじを押え部材と平板部とに取り付けてドライバで締め付ける。
【先行技術文献】
【特許文献】
【０００４】
【特許文献１】特開２０１６−１８７３８号公報
【発明の概要】
【発明が解決しようとする課題】
【０００５】
上記のような従来のワイヤ接続具では、ワイヤをワイヤ接続具に一体化（組み付け）する場合、ワイヤをワイヤ接続具に仮止めできないため、その後のドライバによる締付作業が困難で、組み付けの作業性に改善の余地がある。また、締付具合によりワイヤの固定強度（支持強度）にバラつきが出るため安全性の担保が確実では無い。そのため、組み付けが容易で安全性の高いワイヤ接続具の提供が望まれる。
【０００６】
本発明は、かかる実状に鑑みて為されたものであって、その目的は、組み付けが容易で安全性の高いワイヤ接続具を提供することにある。
【課題を解決するための手段】
【０００７】
上記目的を達成するための本発明に係るワイヤ接続具の特徴構成は、
ワイヤを嵌め込んで固定するための固定溝を有する第一本体部と、
前記ワイヤを前記固定溝に向けて押圧するための押圧要素と、
前記押圧要素を前記固定溝に向けて押圧する第二本体部と、
前記第一本体部と前記第二本体部とを締結する締結部材と、を備え、
前記第二本体部に、前記押圧要素を収容し、前記固定溝の深さ方向視で前記固定溝と重複し、前記固定溝から離間する方向に凹む凹部が形成されており、
前記凹部の深さが、前記固定溝の延在方向に沿って一方から他方に向けて深くなっている点にある。
【０００８】
上記構成によれば、固定溝の延在方向に沿う方向における凹部の深さが一方から他方に向けて深くなる。例えば、固定溝の手前（一方）側から奥（他方）側に向けて凹部の深さが深くなる。以下では固定溝の手前側から奥側に向けて凹部の深さが深くなる場合を例示して説明する。
【０００９】
第一本体部と第二本体部とを締結部材で締結した状態で、ワイヤを手前から奥に向けて固定溝内に挿通してはめ込むと、押圧要素は、ワイヤとの摩擦力により、当該ワイヤに連れられて凹部の奥側に移動する。凹部の奥側は深いため、押圧要素がワイヤを押圧する力は弱くなり、押圧要素とワイヤとの摩擦力が低下する。これにより、押圧要素に対してワイヤが滑りやすくなり、ワイヤをスムーズに固定溝に挿通できる。押圧要素が凹部の奥側に移動した場合でも、ワイヤが手前側に引っ張られると、引抜かれようとするワイヤとの摩擦力により、押圧要素が当該ワイヤに連れられて凹部の手前側に移動する。凹部の手前側は浅いため、押圧要素がワイヤを押圧する力が強くなる。これにより、ワイヤは固定溝において第一本体部に仮止めされる。
【００１０】
ワイヤを手前側に強く引っ張ると、押圧要素は、ワイヤとの摩擦力により当該ワイヤに連れられて凹部の手前側に移動し、ワイヤと凹部との間に食い込むように嵌る。これにより、押圧要素がワイヤを押圧する力は強くなるとともに、押圧要素の位置が固定される。また、その結果、ワイヤは、固定溝において第一本体部に固定（いわゆる、ロック）された状態で抜け止めされる。押圧要素の食い込み具合は、凹部の形状とワイヤの摩擦力とにより決定されるため自然と所定の食い込み具合を実現する。そのためワイヤの固定強度はバラつかず、一定になる。これにより安全性を担保できる。
【００１１】
ワイヤが第一本体部にロックされた状態で、締結部材による第一本体部と第二本体部との締結を解除すれば、押圧要素によるワイヤの押圧が解除される。これにより、ワイヤのロックが解除される。このように、上記構成によれば、ワイヤを固定溝に挿通すれば仮止めがされ、組み付けが容易である。また、ワイヤを手前に引っ張ると自然とロックされるため安全性が高い。加えて、ロックの解除は締結部材の締結の解除により容易に行えるため、分解も容易である。
【００１２】
本発明に係るワイヤ接続具の更なる特徴構成は、
前記押圧要素は、断面が円形状の円形部を含み、当該円形部の軸心方向が前記延在方向と交差する状態で前記凹部に収容されており、
前記円形部の外周面には凹凸が形成されている点にある。
【００１３】
上記構成によれば、凹部に収容された円形部がワイヤを固定溝に向けて押圧する。また、円形部は軸心方向が固定溝の延在方向と交差（例えば直交）する状態で凹部に収容されているため、円形部は凹部内で延在方向に沿い転がることができる。また、円形部の外周面には凹凸が形成されているため、円形部とワイヤとの摩擦力が高まる。そのため、ワイヤを仮止めする際は、摩擦力により円形部の転がりが促進されて、ワイヤをスムーズに固定溝に挿入できる。ワイヤをロックする際も同様に、摩擦力により円形部の転がりが促進されて、確実にロックされる。一旦ロックされた後は、摩擦力により円形部の移動が阻害されて、ロック状態が安定して維持される。
【００１４】
本発明に係るワイヤ接続具の更なる特徴構成は、
前記深さ方向視における、前記凹部と重複する前記固定溝の部分の溝深さは、前記ワイヤの直径よりも浅い点にある。
【００１５】
上記構成によれば、押圧要素は、固定溝の縁と接触せずにワイヤに当接し、ワイヤを押圧することができる。これにより、ワイヤを確実にロックできる。
【００１６】
本発明に係るワイヤ接続具の更なる特徴構成は、
前記第二本体部は、前記延在方向に沿い設けられ、前記固定溝と前記深さ方向視で重複する覆設部を有し、
前記覆設部に、前記凹部と、前記凹部の前記一方に近い側の端部に形成されたガイド部とが形成されており、
前記ガイド部は、前記固定溝から離間する方向に傾斜する傾斜面である点にある。
【００１７】
上記構成によれば、覆設部は固定溝と深さ方向視で重複しており、固定溝を上方から覆う配置となる。また、ガイド部は、固定溝の手前側に配置される。ガイド部の側から、覆設部で覆われた固定溝にワイヤを挿通することで、仮止め及びロック可能である。ガイド部は、固定溝から離間する方向に傾斜する傾斜面であるため、ワイヤを固定溝に挿通する際にワイヤ先端が傾斜面に案内される。これによりワイヤの固定溝への挿通が容易になる。
【００１８】
本発明に係るワイヤ接続具の更なる特徴構成は、
前記第一本体部と前記第二本体部とを互いに近接させるように付勢する第一弾性部材を更に備える点にある。
【００１９】
上記構成によれば、ワイヤを固定溝に挿通した後に、第一弾性部材の付勢力で、第二本体部及び押圧要素を介してワイヤを第一本体部に向けて押圧することができるため、ワイヤを容易に仮止めできる。
【００２０】
本発明に係るワイヤ接続具の更なる特徴構成は、
弾性変形した状態で前記押圧要素を他方から一方に向けて付勢する第二弾性部材を更に備える点にある。
【００２１】
上記構成によれば、押圧要素が第二弾性部材に付勢されて凹部の手前側に移動するため、仮止め及びロックを確実に行える。
【００２２】
本発明に係るワイヤ接続具の更なる特徴構成は、
前記固定溝における前記凹部の前記一方に近い側の端部の溝幅が、前記固定溝の他端の溝幅に対して拡大している点にある。
【００２３】
上記構成によれば、ワイヤを挿通する固定溝の手前側の溝幅が奥側の溝幅よりも広くなる。そのため、固定溝の幅広部分によりワイヤが案内されるので、ワイヤの固定溝への挿通が容易になる。
【００２４】
本発明に係るワイヤ接続具の更なる特徴構成は、
前記固定溝として、第一固定溝と、前記第一固定溝に沿う第二固定溝とを含み、
前記凹部として、前記深さ方向視で前記第一固定溝と重複する第一凹部と、前記深さ方向視で前記第二固定溝と重複する第二凹部と、を含み、
前記第一凹部の深さが深くなる向きと、前記第二凹部の深さが深くなる向きとが、互いに逆向きとなっている点にある。
【００２５】
上記構成によれば、一本のワイヤを第一固定溝及び第二固定溝に挿通した場合、ワイヤを手前側に引っ張ると、第一固定溝及び第二固定溝の両方でロックされる。ワイヤを第一固定溝及び第二固定溝に挿通してロックすれば、挿通されたワイヤにおける第一固定溝と第二固定溝との間の部分にワイヤの環を形成して維持できる。この環を他のワイヤや棒状部材等の接続対象物に係止することで、ワイヤを接続対象物に連結することができる。
【００２６】
また、上記構成によれば、二本のワイヤをそれぞれ第一固定溝と第二固定溝とに挿通した場合、それぞれのワイヤは、互いに逆向きに抜け止め固定具を介して二本のワイヤを連結できる。
【図面の簡単な説明】
【００２７】
【図１】金具の全体構成、及び使用態様を示す図
【図２】金具の分解斜視図
【図３】第一本体の斜視図
【図４】保持部の斜視図
【図５】第二本体の斜視図
【図６】金具によるワイヤの固定手順の説明図
【図７】金具によるワイヤの固定手順の説明図
【図８】金具によるワイヤの固定手順の説明図
【図９】金具の別の使用態様を示す図
【発明を実施するための形態】
【００２８】
図面に基づいて、本発明の実施形態に係るワイヤ接続具について説明する。
【００２９】
〔金具の全体構成〕
図１、図２には、ワイヤ接続具の一例としてワイヤ９が固定される金具１００を示している。図１には、組み立てられた状態の金具１００を、図２には、金具１００の分解斜視図を示している。金具１００は、金具１００の中心を通る仮想線である軸Ｇに対して線対称の構造である。
【００３０】
金具１００は、図１、図２に示すように、断面が角張ったＵ字形状の第一本体１及び第一本体１のＵ字の谷底に固定される保持部３（以上、第一本体部の一例）、断面が角張ったＵ字形状で、第一本体１よりもＵ字の幅の狭い第二本体２（第二本体部の一例）、円柱状のギア４（押圧要素の一例、円形部の一例）、及び第一本体１と第二本体２とを締結するボルト５（締結部材の一例）とを備えている。ワイヤ９は、第一本体１と保持部３との隙間に形成される挿通空間Ｍ（固定溝、第一固定溝、及び第二固定溝の一例）に挿通される。ワイヤ９は、第二本体２に押圧されたギア４がワイヤ９を第一本体１に向けて押圧することで第一本体１に固定される。
【００３１】
図１に示すように、第一本体１のＵ字の内側には保持部３が載置されて固定される。第二本体２は、当該第二本体２のＵ字の内側の底が第一本体１のＵ字の内側の底に対向する状態で第一本体１のＵ字の内側に嵌り、かつ、保持部３に載置される。ギア４は、保持部３と第二本体２との間に配置される。
【００３２】
〔各部の詳細〕
第一本体１は、図３に示すように、第二本体２と保持部３とが装着される座であり、ワイヤ９が固定される座である。第一本体１は、矩形状の第一板部１０と、第一板部１０の幅方向（短手方向）の両側部から同じ方向に延出する一対の板状のリブ１１、１１とを有する、断面が角張ったＵ字形状の部材である。第一本体１は、ステンレスなどの金属板を曲げ加工及び切削等して形成されている。第一本体１は、本実施形態では、第一板部１０における奥行方向（長手方向）、及び幅方向において面対称の形状である。以下では、図２において、第一板部１０から見た第一本体１におけるＵ字形状の内側（第一板部１０から見てリブ１１、１１が延出している向き）を上、反対側を下と記載する場合がある。
【００３３】
第一板部１０は、第一本体１における矩形状の板部である。第一板部１０には、板面を上下に貫通する一対の係合穴１３、１３と、板面を上下に貫通するネジ穴１５とが形成されている。第一板部１０の上面には、後述するように、保持部３が固定される。また、ワイヤ９を金具１００に固定する際に、ワイヤ９は第一板部１０の上面に対して押圧された状態で固定される。
【００３４】
リブ１１、１１は、第一板部１０に対して垂直に延出している。リブ１１、１１は、互いに平行である。リブ１１、１１の、第一板部１０からのそれぞれの高さは等しい。
【００３５】
一対の係合穴１３、１３は、第一板部１０の奥行方向における両端部にそれぞれ形成されている。一対の係合穴１３、１３は、第一板部１０の幅方向における中間位置に形成されている。一対の係合穴１３、１３は、それぞれ、幅方向が長手方向になる矩形状の貫通孔である。以下では、第一板部１０の奥行方向と同じ方向を、第一板部１０以外の部材等の説明においても単に奥行方向と記載する場合がある。同様に、第一板部１０の幅方向と同じ方向を、第一板部１０以外の部材等の説明においても単に幅方向と記載する場合がある。
【００３６】
ネジ穴１５は、円形状の貫通孔である。ネジ穴１５は第一板部１０の奥行方向において、一対の係合穴１３、１３の中間位置に形成されている。ネジ穴１５は第一板部１０の幅方向における中間位置に形成されている。ネジ穴１５の内周面には、ボルト５のネジ部５１が螺合する雌ネジが形成されている。第一本体１はネジ穴１５により、後述するようにボルト５と螺合接続される。
【００３７】
リブ１１は、第一板部１０の幅方向両側部から上方に延出する一対のリブ状の板部である。リブ１１、１１の奥行方向における長さは第一板部１０と同じである。以下では、第一板部１０とリブ１１、１１とで囲われた空間（第一本体１のＵ字形状の内側の空間）を、空間Ｓと称する。
【００３８】
保持部３は、図１に示すように、空間Ｓに収容された状態で第二本体２とギア４を載置する座である。また、保持部３は、第一本体１等と共に、ワイヤ９が挿通される挿通空間Ｍを形成するための枠体である。保持部３は、図４に示すように、奥行方向が長手方向になる矩形状の第三板部３０と、第三板部３０から上方に延出する第一柱部３１、第一柱部３１とは別に第三板部３０から上方に延出する一対の第二柱部３９、３９、第一柱部３１や第二柱部３９とは別に第三板部３０から上方に延出する柱状の一対の弾性リブ３８、３８、及び、第三板部３０から下方に延出する一対の係合部３３、３３を有する。保持部３は、例えばＡＢＳ樹脂などの合成樹脂で一体成形（例えば射出成形）されている。
【００３９】
第三板部３０は、短手方向の幅が、第一本体１のＵ字形状の内側の幅よりも狭い矩形状の板部である。第三板部３０の板厚（上下方向の厚み）は、固定対象とするワイヤ９の直径前後の厚みである。第三板部３０の板厚は、例えばワイヤ９の直径の５０％以上１００％以下であり、本実施形態ではワイヤ９の直径の９０％の厚みである。第三板部３０には、上下に貫通する挿通孔３６と、幅方向における両側部に配設されており、側面が幅方向内側に凹んだ一対の段部３４、３４と、対角線上の一対の角部の角の頂点のそれぞれを面取り（例えばＣ面取り）した面取り部３０ａ、３０ａとが形成されている。面取り部３０ａ、３０ａの面取り径は、例えば固定対象とするワイヤ９の直径と同じ径である。第三板部３０は、第三板部３０の中心を通る軸線に対して線対称の形状である。なお、第三板部３０の中心を通る軸線は、本実施形態では、軸Ｇと重複している。面取り部３０ａは、後述するように、挿通空間Ｍにワイヤ９を挿通する際の案内になる。
【００４０】
第三板部３０の長手方向の長さは、例えば第一板部１０と同じである。第三板部３０は、第一本体１のＵ字形状の内側に嵌められて第一板部１０に固定される。第三板部３０の両側面はそれぞれ、リブ１１、１１に沿っている。第三板部３０の両側面は、リブ１１、１１と所定の距離を隔てて配置される。挿通空間Ｍ、Ｍは、第三板部３０の両側面とリブ１１、１１、及び第一板部１０の上面で囲われた一対の空間である。したがって、挿通空間Ｍ、Ｍは、互いに沿う（平行な）溝である。面取り部３０ａが囲う挿通空間Ｍの部分の溝幅は、面取り部３０ａが形成されていない側の挿通空間Ｍの溝幅に比べて、溝幅が拡大している。挿通空間Ｍ、Ｍのそれぞれには、後述するようにワイヤ９が挿通される。
【００４１】
段部３４は、第三板部３０の幅方向における側部に形成された凹みである。段部３４は、第三板部３０の奥行方向における中間位置で、幅方向における両側部に一対配設されている。段部３４は、第三板部３０の上面が下方に凹み、当該凹みが第三板部３０の幅方向における側面に到る形状である。換言すると、段部３４は、第三板部３０の幅方向における側面が、内側に凹んだ形状である。段部３４の板厚（上下方向の厚み）は、固定対象とするワイヤ９の直径の３０％以上８０％以下の厚みである。本実施形態の段部３４の板厚は、固定対象とするワイヤ９の直径の６０％の厚みである。一対の段部３４、３４は、本実施形態では、後述する第一柱部３１の幅方向における両側部に隣接して形成されている。
【００４２】
一対の係合部３３、３３は、第三板部３０の奥行方向（長手方向）における両端部にそれぞれ形成されている。一対の係合部３３、３３は、第三板部３０の幅方向における中間位置に形成されている。第三板部３０は、一対の係合部３３、３３を係合穴１３に挿通することで第一板部１０に係止される。一対の係合部３３、３３は例えばスナップフィットである。
【００４３】
挿通孔３６は、円形状の貫通孔である。挿通孔３６は、第三板部３０の奥行方向において、一対の係合部３３、３３の中間位置に形成されている。挿通孔３６は第三板部３０の幅方向における中間位置に形成されている。挿通孔３６の中心は、本実施形態では、第三板部３０の軸線や、軸Ｇと重複する。挿通孔３６は、後述するように、ボルト５のネジ部５１が挿通される穴である。
【００４４】
第一柱部３１は、ネジ部５１に沿うネジガイド３１ａと、ギア４の可動範囲を規制する規制部３２とを有する。第一柱部３１は、本実施形態では、奥行方向、及び幅方向において面対称の形状である。
【００４５】
ネジガイド３１ａは、第三板部３０における挿通孔３６の外周位置における、奥行方向の前後位置に配設された一対の柱状の部材である。ネジガイド３１ａは、後述するように、ネジ部５１をネジ穴１５に螺合すべく第三板部３０を貫通させる際の案内になる。ネジガイド３１ａの内面は、ネジ部５１の直径と同じか、当該直径よりも大きい円弧であって、挿通孔３６と同軸心の円弧に沿う弧面として形成されている。
【００４６】
規制部３２は、ギア４の可動範囲を規制する部材である。本実施形態では、規制部３２は第一柱部３１と一体に形成されている。規制部３２は、第一柱部３１の幅方向における両側部に一対形成されている。それぞれの規制部３２、３２は、奥行方向における前後において互いに対向する面を有する一対の壁体３２ａ、３２ａと、幅方向外側を向く面を有する壁部３２ｂとを有する。
【００４７】
一対の壁体３２ａ、３２ａは、第一柱部３１から見て、第一柱部３１から幅方向外側に延出するリブ状の部材である。一対の壁体３２ａ、３２ａは、段部３４に対して奥行方向前後に隣接して配設されている。壁体３２ａの下端は、第三板部３０と一体である。換言すると、一対の壁体３２ａ、３２ａは、第三板部３０からみて、上方に延出するリブ状の部材である。
【００４８】
壁部３２ｂは、本実施形態では、第一柱部３１における、幅方向外側を向く壁面部分である。壁部３２ｂは、段部３４に対して幅方向内側に隣接して配設されている。壁部３２ｂの下端は、第三板部３０と一体である。換言すると、壁部３２ｂは、第三板部３０からみて、上方に延出するリブ状の部材である。
【００４９】
なお、ここでは第一柱部３１と規制部３２とが一体に形成される例を示しているが、壁部３２ｂや一対の壁体３２ａ、３２ａは、第一柱部３１と一体であることを要しない。壁部３２ｂや一対の壁体３２ａ、３２ａは、例えば、第三板部３０から上方に延出し、幅方向外側を向く壁面を有する、互いに独立したリブ状の部材であってもよい。
【００５０】
弾性リブ３８（第二弾性部材の一例）は、それぞれの段部３４、３４から上方に延出する柱状の部材である。弾性リブ３８は、第一柱部３１の幅方向における両側部とわずかに離間し、かつ隣接して形成されている。弾性リブ３８は、奥行方向において面取り部３０ａから遠い側の壁体３２ａとわずかに離間し、かつ、隣接して形成されている。弾性リブ３８は、幅方向においてそれぞれ同じ側にある面取り部３０ａに対して、奥行方向において遠い側に向けて反るように弾性変形可能である。
【００５１】
一対の壁体３２ａ、３２ａ、壁部３２ｂ及び段部３４で囲われた空間には、後述するように、ギア４の一部が収容される。以下では、一対の壁体３２ａ、３２ａ、壁部３２ｂ及び段部３４で囲われた空間の事を、単に、規制部３２の空間と記載する。
【００５２】
一対の第二柱部３９、３９は、第一柱部３１に対して第三板部３０の奥行方向における両外側の、第三板部３０の奥行方向における両端部にそれぞれ形成されている。一対の第二柱部３９、３９は、第三板部３０の幅方向における中間位置に形成されている。一対の第二柱部３９、３９は、例えば、互いに対向する板状の部材である。一対の第二柱部３９、３９の第三板部３０から見た高さ（以下、単に第二柱部３９の高さと記載する）は同じである。本実施形態では、第二柱部３９の高さは、第一柱部３１の第三板部３０から見た高さ（以下、単に第一柱部３１の高さと記載する）よりも高い。一対の第二柱部３９、３９は、後述するように、第二本体２を支持する支柱である。
【００５３】
第二本体２は、図１、図２に示すように、保持部３に載置され、挿通空間Ｍの上方を覆う部材である。第二本体２は、挿通空間Ｍにワイヤ９を挿通された際に、ギア４を押圧する。第二本体２は、図５に示すように、矩形状の第二板部２０と、第二板部２０の幅方向（短手方向）の両側部から下方に延出する一対の板状のリブ２１、２１とを有する、断面が角張ったＵ字形状の部材である。リブ２１、２１は、第二板部２０に対して垂直に延出している。第二本体２は、ステンレスなどの金属板を曲げ加工及び切削等して形成されている。第二本体２は、本実施形態では、第二板部２０の中心を通る軸線に対して線対称の形状である。なお、第二板部２０の中心を通る軸線は、本実施形態では、軸Ｇと重複している。
【００５４】
第二板部２０には、板面を上下に貫通する円形状の挿通孔２５が形成されている。第二板部２０の奥行方向における長さは第一板部１０と同じである。第二板部２０は、第二板部２０の下面が第一板部１０の上面に対向するように配置される。第二板部２０の下面は、一対の第二柱部３９、３９の上端に当接する。これにより、第二本体２は保持部３により奥行方向の前後両端で支持されるためぐらつかない。
【００５５】
リブ２１は、第二板部２０の幅方向両側部から下方に延出する一対のリブ状の板部である。リブ２１、２１には、凹部２４、２４（それぞれ、第一凹部、第二凹部の一例）と、面取り部２１ｃ、２１ｃ（ガイド部の一例）とが形成されている。リブ２１、２１の奥行方向における長さは第二板部２０と同じである。リブ２１、２１は、第二板部２０の中心を通る軸線に対して線対称の形状である。リブ２１、２１は、リブ１１、１１の内側面に沿い配置される。本実施形態では、リブ２１、２１は、リブ１１、１１の内側面と所定の隙間を隔てて配置されており、リブ２１、２１及びリブ１１、１１はそれぞれ平行に配設されている。
【００５６】
リブ２１、２１のそれぞれは、挿通空間Ｍ、Ｍのそれぞれと、上下方向視で重複する。以下では、第二板部２０とリブ２１、２１とで囲われた空間（第二本体２のＵ字形状の内側の空間）を、空間Ｔと称する。
【００５７】
面取り部２１ｃは、リブ２１の奥行方向における一端側の下端の角部の角の頂点を面取り（例えばＣ面取り）した部分である。これにより、面取り部２１ｃには、挿通空間Ｍから離間する傾斜面が形成される。面取り部２１ｃは、後述するように、挿通空間Ｍにワイヤ９を挿通する際の案内になる。面取り部２１ｃの面取り径は、例えば固定対象とするワイヤ９の直径と同じ径である。なお、面取り部２１ｃは、Ｒ面取りのように曲面状であってもよい。
【００５８】
凹部２４は、リブ２１の奥行方向における中間部分、かつ、下端部に形成された凹みである。凹部２４は、リブ２１を幅方向に切り欠いた切欠きである。凹部２４は、挿通空間Ｍと、上下方向視で重複する。ひとつの凹部２４の凹みの内側空間（以下、単に凹部２４の内側空間と記載する）には、後述するように、ひとつのギア４の一部が収容される。凹部２４の内側空間は、幅方向視で、隣接する規制部３２の空間と重複する。
【００５９】
凹部２４は、奥行方向における一方から他方に向けて深さ（以下、単に深さと記載する）が深くなっている。換言すれば、奥行方向における他方から一方に向けて深さが浅くなる先細り構造（いわゆる、テーパー状）である。凹部２４は、奥行方向に向き、壁面が対向する一対の第一壁２４ａ及び第二壁２４ｂと、第一壁２４ａと第二壁２４ｂとの間の、凹みの底となる第三壁２４ｃ及び第四壁２４ｄとで構成される。なお、上下方向と、凹部２４における凹みの深さ方向は同じである。一方の凹部２４と、他方の凹部２４とは、奥行方向における深さが互いに逆向きに深くなっている。
【００６０】
第一壁２４ａと第三壁２４ｃとは、リブ２１の奥行方向において面取り部２１ｃに近い側に配置される。第二壁２４ｂと第四壁２４ｄは、リブ２１の奥行方向において面取り部２１ｃから遠い側に配設されている。第一壁２４ａ、第二壁２４ｂ、第三壁２４ｃ、及び第四壁２４ｄの壁面は、平面状である。第一壁２４ａ、第二壁２４ｂ、第三壁２４ｃ、及び第四壁２４ｄは、奥行方向における面取り部２１ｃに近い側から遠い側に向けてこの順で配設されている。
【００６１】
第二壁２４ｂは第一壁２４ａよりも、上下方向において長い（深い）。第三壁２４ｃは、第一壁２４ａの側から第二壁２４ｂ（第四壁２４ｄ）の側に向けて上方に傾斜している。
第四壁２４ｄは、第二板部２０の下面と平行である。
【００６２】
第三壁２４ｃの傾斜角度は、第二板部２０の下面に対して、１０°から３０°、好ましくは１５°から２０°に傾斜しており、本実施形態では１７°である。第三壁２４ｃの傾斜角度が１０°から３０°の範囲を外れると、後述するワイヤ９のロックが適切に行えなくなる。例えば、ロックが不能になり、もしくは、一旦ロックしても意図せずロックが解除されてしまうおそれが生じる。
【００６３】
本実施形態では、第二壁２４ｂの下端の角部２４ｂｒも面取り（例えばＣ面取り）されている。角部２４ｂｒは、後述するように、挿通空間Ｍに挿通して第一壁２４ａを超えるに至ったワイヤ９を、更に第二壁２４ｂを超えて挿通空間Ｍの奥に挿通する際の案内になる。角部２４ｂｒの面取り径は、例えば固定対象とするワイヤ９の直径の半分の径である。
【００６４】
ギア４は、図１、図２に示すように、真鍮などの金属製で、円柱状の部材である。ギア４の柱の外周面は、ギア４の柱の軸心方向に沿う向きに沿って稜もしくは谷が延在するように、多数の溝（凹凸の一例）が形成されている。ギア４はこの多数の溝により、後述するように、ワイヤ９との摩擦力を増大させる。ギア４は、一対の壁体３２ａ、３２ａ、壁部３２ｂ及び段部３４で囲われた空間、及び凹部２４の内側空間に収容された状態で、第三壁２４ｃで第一板部１０の上面に向けて押圧されることで、ワイヤ９を第一板部１０の上面に向けて押圧する。ギア４の柱の直径は、例えば固定対象とするワイヤ９の直径の２倍から３倍の直径であり、本実施形態では、ワイヤ９の直径の２．５倍の直径である。
【００６５】
本実施形態における、凹部２４とギア４との寸法のバランスについて補足する。凹部２４の寸法は、ギア４が凹部２４の内側空間に収容された状態において、以下の条件を満たすように設定される。すなわち、ギア４が第四壁２４ｄに当接している状態にある場合、ギア４の下端は、リブ２１の端部と面一か、リブ２１の端部よりもやや下方に位置し、凹部２４からはみ出た状態にある。この状態におけるギア４のはみ出し量は、ギア４の直径の３％以上２０％未満である。
【００６６】
一方、ギア４が第一壁２４ａに当接している状態にある場合、ギア４の下端は、リブ２１の端部よりも下方に位置し、凹部２４からはみ出た状態にある。この状態におけるギア４のはみ出し量は、ギア４の直径の５％以上３０％未満である。
【００６７】
第一壁２４ａと第二壁２４ｂとの間の距離は、例えばギア４の直径の１．３倍以上２倍以内であり、本実施形態では１．４５倍である。第一壁２４ａと第二壁２４ｂとの間の距離がギア４の直径の１．３倍以上２倍以内の範囲を外れると、後述するワイヤ９のロックが適切に行えなくなる。例えば、ロックが不能になり、もしくは、一旦ロックしても意図せずロックが解除されてしまうおそれが生じる。
【００６８】
〔金具の組み立て〕
主として図２を参照しつつ、金具１００の組み立てについて説明する。
【００６９】
まず、第一本体１に保持部３を載置して、保持部３を空間Ｓに収容する。この際、一対の係合穴１３、１３に一対の係合部３３、３３を挿通して、第一本体１に、保持部３を固定する。これにより、挿通空間Ｍが形成される。また、保持部３が係合部３３、３３と係合穴１３、１３とで位置決めされることで、挿通孔３６（図４参照）が、ネジ穴１５と上下方向で重複する。本実施形態では、挿通孔３６の穴の軸心と、ネジ穴１５の穴の軸心とが重複する。
【００７０】
次に、規制部３２、３２の空間であって、弾性リブ３８（図４参照）に対して面取り部３０ａに近い側の空間に、それぞれギア４、４を一つずつ収容する。この際、ギア４、４の柱の軸心は、幅方向に沿わせて収容する。
【００７１】
規制部３２の空間に収容されたギア４は、一対の壁体３２ａ、３２ａ、壁部３２ｂ、段部３４、及びリブ１１により可動範囲を規制され、規制部３２の空間内に拘束される。
【００７２】
次に、第二本体２を、第一本体１のＵ字形状の内側に嵌める。この際、第二本体２のＵ字形状の内側を、第一本体１に対向させ、かつ、第二板部２０の面取り部２１ｃ、２１ｃと、第三板部３０の面取り部３０ａ、３０ａとをそれぞれ近接させる。また、挿通孔２５を、挿通孔３６及びネジ穴１５と上下方向で重複させる。このようにして第二本体２を第一本体１に嵌めると、第一柱部３１が空間Ｔに収容される。また、挿通空間Ｍ、Ｍが、リブ２１、２１と上下方向で重複する。また、一対の凹部２４、２４の内側空間のそれぞれに、ギア４、４が収容される。なお、ギア４、４は、あらかじめ規制部３２、３２の空間内に拘束（可動範囲を規制）されているため、上記のようにして第二本体２を第一本体１に嵌める際に、ギア４、４は自然と一対の凹部２４、２４の内側空間に収容されるため組み立て作業性が良い。本実施形態では、図６、図７、図８に示すように、幅方向においてそれぞれ同じ側にある面取り部３０ａ、第三壁２４ｃ、弾性リブ３８の位置関係が、奥行方向において、弾性リブ３８が第三壁２４ｃよりも面取り部３０ａから遠い配置になる。
【００７３】
その後、図２に示すように、ボルト５のネジ部５１を、挿通孔２５、挿通孔３６に挿通し、ネジ穴１５に螺合する。ネジ部５１を挿通孔３６に挿通する際、ネジ部５１はネジガイド３１ａの内面に案内されて、円滑に挿通孔３６に導かれるため組み立て作業性が良い。なお、本実施形態ではボルト５をネジ穴１５に螺合する際、皿ばね５３（第一弾性部材の一例）にネジ部５１を挿通した状態で、ボルト５の頭部５２と第二本体２との間に、皿ばね５３を配置している。このようにボルト５をネジ穴１５に螺合することで、第一本体１と第二本体２とが締結される。この状態で、金具１００は、ワイヤ接続具として使用可能である。
【００７４】
〔ワイヤの固定〕
金具１００におけるワイヤ９の固定手順について、図６から図９を参照しつつ説明する。
【００７５】
図６に示すように、ワイヤ９を、面取り部２１ｃ及び面取り部３０ａ（図２参照）が形成されている側から挿通空間Ｍに挿通する。以下では、金具１００における面取り部２１ｃ及び面取り部３０ａが形成されている側を手前側と記載し、その反対を奥側と記載する。面取り部２１ｃ及び面取り部３０ａによりワイヤ９は自然と挿通空間Ｍ内に案内される。この際、ボルト５は、皿ばね５３で第二本体２を第一本体１に付勢可能な範囲内でやや緩めておくと、ワイヤ９の挿通空間Ｍへの挿通がより容易になる。
【００７６】
ワイヤ９は、少なくとも凹部２４を超え、好ましくは挿通空間Ｍの奥側からワイヤ９が露出するように、挿通空間Ｍに挿通する。ワイヤ９が上下方向において凹部２４と重複する位置に到りギア４と接すると、押し込まれるワイヤ９とギア４の摩擦によりワイヤ９の挿通に連れられて、ギア４が、深さが深くなっている奥側（弾性リブ３８、第二壁２４ｂに近づく側）に移動する。この際、本実施形態ではギア４の多数の溝によりワイヤ９との摩擦力が増大されているため、ギア４はワイヤ９の挿通に連れられて適切に奥側に移動する。本実施形態においてギア４は、弾性リブ３８に当接して弾性リブ３８を第二壁２４ｂ
の側にやや反り変形する程度の奥まで移動可能である。ギア４が奥側に移動すると、第三壁２４ｃからの押圧が緩む。これにより、ギア４によるワイヤ９の押圧は解除される。そのため、ワイヤ９の挿通が容易である。
【００７７】
本実施形態では更に、ギア４及びギア４に支持された第二本体２がワイヤ９により押し上げられて、皿ばね５３の弾性変形の範囲でギア４及び第二本体２（凹部２４）が第一本体１（第一板部１０）から離れる。これにより、ギア４と第一板部１０との距離が広がる。そのため、ワイヤ９の挿通が容易である。
【００７８】
更に本実施形態では、挿通空間Ｍの延在方向において、第一壁２４ａを超える位置まで挿通されたワイヤ９を、更に第二壁２４ｂを超えて挿通空間Ｍの奥に挿通する際に、角部２４ｂｒが案内となるためワイヤ９の挿通が容易である。
【００７９】
ワイヤ９が凹部２４を超えて挿通空間Ｍに挿通された後、図７に示すように、ワイヤ９を手前に引っ張ると、引抜かれようとするワイヤ９とギア４の摩擦により、ギア４が、深さが先細りしている手前側（第一壁２４ａに近づく側）に移動する。この際、本実施形態ではギア４の多数の溝によりワイヤ９との摩擦力が増大されているため、ワイヤ９の引抜きに連れられて、また、反り変形していた弾性リブ３８の復元力で付勢されて、ギア４は適切に手前側に移動する。
【００８０】
手前側に移動したギア４は、第三壁２４ｃに強く押圧される。これにより、ギア４はワイヤ９を強く押圧する。そのため、ワイヤ９は第一板部１０に向けて強く押し付けられる。これにより、ワイヤ９と第一板部１０との摩擦力が増大し、ワイヤ９は第一本体１に仮止めされる。
【００８１】
その後、図８に示すように、ボルト５を増し締めすれば、第二本体２（第三壁２４ｃ）が第一本体１（第一板部１０）に近づいて、ギア４はワイヤ９を更に強く押圧する。そのため、ワイヤ９は第一板部１０に向けて更に強く押し付けられる。この際、ギア４はワイヤ９にやや食い込む場合があるが、ギア４は、段部３４からは離間した（浮いた）状態を維持する。ギア４は、段部３４から、例えばワイヤ９の直径の１０％以上４０％以下の距離だけ離間させるとよく、本実施形態では２０％の距離だけ離間している。これにより、ギア４は、第二本体２から受けた押圧力の全てをそのままワイヤ９に加える。このようにして、ワイヤ９と第一板部１０との摩擦力が更に増大し、ワイヤ９は第一本体１にロック（仮止めに対する本固定）される。
【００８２】
図１に示すように、一本のワイヤ９を折り返して一対の挿通空間Ｍ、Ｍに挿通すれば、ワイヤ９の環９０を形成できる。環９０により、別のワイヤ９の環９０と連結（係止）するなどして、二本のワイヤ９を連結することができる。また、環９０を棒状体等の構造体に係止すれば、ワイヤ９と棒状体等とを連結可能である、
【００８３】
また、図９に示すように、二本のワイヤ９を別々に挿通空間Ｍ、Ｍに挿通すれば、金具１００により二本のワイヤ９を連結することもできる。また、一本のワイヤ９の両端部を別々に挿通空間Ｍ、Ｍに挿通すれば、金具１００により一本のワイヤ９全体でループを形成することもできる。
【００８４】
以上のようにして、金具１００は、ワイヤ９を固定する。また金具１００は、二本のワイヤ９を連結（接続）することができる。このように金具１００は、ワイヤ９の固定が容易であり、また、二本のワイヤ９の連結に利用可能であるため、天井などに吊下げられたエアコンや照明器具などの落下防止に用いるワイヤ９の固定や連結に有用である。
【００８５】
〔別実施形態〕
（１）上記実施形態では、押圧要素の一例として、円柱状のギア４を例示して説明したが、押圧要素はこれに限られない。押圧要素は、凹部２４において、ワイヤ９に連れられて奥側と手前側と移動可能な形状等であり、奥側に位置する場合にワイヤ９の押圧を解除し、手前側に位置する場合にワイヤ９を押圧してロックできるものであればよい。例えば、押圧要素が八角形などの多角形の柱でもよいし、円筒状等など中空のものであってもよい。
【００８６】
（２）上記実施形態では、ギア４の外周面に柱の軸心方向に沿う向きの多数の溝を形成することでワイヤ９との摩擦力を増大させる場合を説明したが、ギア４の外周面はこれに限られない。ギア４の外周面は、多数の溝を形成する場合に代えて、摩擦力を増大させるべく、ランダムな凹凸を形成された物でもよい。摩擦力を増大させるランダムな凹凸としては、ブラスト処理された面が例示される。
【００８７】
（３）上記実施形態では、皿ばね５３を用いる場合を例示したが、皿ばね５３に代えて、ばね座金（スプリングワッシャ）や、平ワッシャとコイルばねとの組み合わせを用いてもよい。ばね座金の場合は、皿ばね５３に代えてそのまま用いることができる。平ワッシャとコイルばねの場合は、皿ばね５３に代えて、ボルト５の頭部５２の側に平ワッシャを、第二本体２の側にコイルばねを配置する。なお、コイルばねにはボルト５のネジ部５１を挿通する。
【００８８】
（４）上記実施形態では、保持部３が弾性リブ３８を有する場合を説明した。また、ワイヤ９が引き抜かれようとすると、反り変形していた弾性リブ３８の復元力で付勢されてギア４が手前側に移動する場合を説明した。しかし、弾性リブ３８は省略してもよい。弾性リブ３８を省略しても、ワイヤ９が引き抜かれようとすると、ワイヤ９の引抜きに連れられてギア４は適切に手前側に移動するためロックは行える。
【００８９】
（５）上記実施形態では、金具１００は、第二本体２が一対のリブ２１、２１を有し、リブ２１、２１には、それぞれ凹部２４、２４が形成されており、ひとつの凹部２４の内側空間にはひとつのギア４が収容されており、これらギア４が、一対の挿通空間Ｍ、Ｍに嵌め込まれたワイヤ９を押圧することで、ワイヤ９を第一本体１に固定している場合を説明した。そして、金具１００は、金具１００の中心を通る仮想線である軸Ｇに対して線対称の構造である場合を例示して説明した。
【００９０】
しかし、金具１００は、線対称である場合に限られない。金具１００は、線対称でなくとも、一対のリブ２１、２１や一対の挿通空間Ｍ、Ｍが形成されており、ギア４等を有せば、一本のワイヤ９を折り返して環９０を形成したり、二本のワイヤ９を連結したりすることができる。
【００９１】
（６）上記実施形態では、金具１００は、第二本体２が一対のリブ２１、２１を有し、リブ２１、２１には、それぞれ凹部２４、２４が形成されており、ひとつの凹部２４の内側空間にはひとつのギア４が収容されており、これらギア４が、一対の挿通空間Ｍ、Ｍに嵌め込まれたワイヤ９を押圧することで、ワイヤ９を第一本体１に固定している場合を説明した。しかし、金具１００は、一つの凹部２４のみを有する場合もある。この場合、一本のワイヤ９を折り返して環９０を形成して二本のワイヤ９を連結するのに代えて、例えば第二本体２に環状の連結構造等を設け、当該連結構造を他のワイヤ９の環９０と連結することで二本のワイヤ９を連結してもよい。
【００９２】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９３】
本発明は、ワイヤ接続具に適用できる。
【符号の説明】
【００９４】
１        ：第一本体（第一本体部）
２        ：第二本体（第二本体部）
３        ：保持部（第一本体部）
４        ：ギア（押圧要素、円形部）
５        ：ナット（締結部材）
９        ：ワイヤ
２１      ：リブ（覆設部）
２１ｃ    ：面取り部（ガイド部）
２４      ：凹部（第一凹部、第二凹部）
３８      ：弾性リブ（第二弾性部材）
５３      ：皿ばね（第一弾性部材）
１００    ：金具（ワイヤ接続具）
Ｍ        ：挿通空間（固定溝、第一固定溝、第二固定溝）
【図１】
2020165496.tif 000003
【図２】
2020165496.tif 000004
【図３】
2020165496.tif 000005
【図４】
2020165496.tif 000006
【図５】
2020165496.tif 000007
【図６】
2020165496.tif 000008
【図７】
2020165496.tif 000009
【図８】
2020165496.tif 000010
【図９】
2020165496.tif 000011